(57)【特許請求の範囲】
【請求項１】
エレベータシャフトの天井部に張り付けた天井板に、その一端部おいて開放するスリット状の貫通孔部を形成するとともに、エレベータシャフトの内壁部に張り付けた壁板に、その上端部おいて開放するスリット状の挿入孔部を形成して、これら貫通孔部と挿入孔部を互いの開放部分を合わせるようにして連通し、躯体に取り付けた揚重フックの垂直プレートを、前記天井板の貫通孔部へ貫通させ、且つ、前記壁板の挿入孔部へ挿入させて、エレベータシャフト内に臨ませるとともに、前記貫通孔部及び挿入孔部にシーリング材を充填して、それら貫通孔部及び挿入孔部を閉塞したことを特徴とするエレベータの揚重フック取付け構造。
【請求項２】
前記天井板及び壁板は、石膏ボードからなる請求項１記載のエレベータの揚重フック取付け構造。
【発明の詳細な説明】
【０００１】
【発明の属する技術分野】
この発明は、主に家庭用エレベータにおける揚重フックの取付け構造に関する。
【０００２】
【従来の技術】
一般に、家庭用エレベータの設置に際しては、エレベータシャフト上方の梁等に取り付けた揚重フックにワイヤを引っ掛けて、そのワイヤによってエレベータケージをエレベータシャフト内の所定位置まで吊り上げるようにしている。
【０００３】
【発明が解決しようとする課題】
ところが、このようにエレベータシャフト上方に揚重フックを取り付ける場合、この揚重フックが邪魔になって、エレベータシャフトの天井部に石膏ボード等の天井板を張り付けることができず、エレベータシャフトが屋根裏に連通して、エレベータシャフト内において気密性を十分に確保することができなかった。
【０００４】
また、天井板に対して揚重フックを回避するための切欠きや開口を形成して、揚重フックに干渉しないように天井板を張り付けるといった提案もなされているが、この場合においてもエレベータシャフトの天井部を完全に塞ぐことができず、依然としてエレベータシャフト内の気密性を損なう原因となっていた。
【０００５】
この発明は、このような不具合を解消して、エレベータシャフト内における気密性を十分に確保しながら揚重フックを取り付けることを目的とする。
【０００６】
【課題を解決するための手段】
上記課題を解決するため、この発明は、エレベータシャフトの天井部に張り付けた例えば石膏ボードからなる天井板に、その一端部おいて開放するスリット状の貫通孔部を形成するとともに、エレベータシャフトの内壁部に張り付けた例えば石膏ボードからなる壁板に、その上端部おいて開放するスリット状の挿入孔部を形成して、これら貫通孔部と挿入孔部を互いの開放部分を合わせるようにして連通し、躯体に取り付けた揚重フックの垂直プレートを、前記天井板の貫通孔部へ貫通させ、且つ、前記壁板の挿入孔部へ挿入させて、エレベータシャフト内に臨ませるとともに、前記貫通孔部及び挿入孔部にシーリング材を充填して、それら貫通孔部及び挿入孔部を閉塞したことを特徴とする。
【００１０】
【発明の実施の形態】
以下、本発明の一実施形態を図面に基づいて詳細に説明する。図において、(１)は、家庭用エレベータのエレベータシャフトである。このエレベータシャフト(１)は、図４に示すように、建物の１階から３階までを貫通して例えば略角筒状に形成され、その天井部(２)には、互いに略平行に配された鋼製野縁(３)(３)…の下面間に跨って、例えば強化石膏ボード等からなる天井板(４)(４)…が略水平方向に張り付けられている。
【００１１】
また、エレベータシャフト(１)の内壁部(５)(５)…には、柱(６)(６)…や梁(７)(７)…等に対して、例えば強化石膏ボード等からなる壁板(８)(８)…が略垂直方向に張り付けられている。このようにエレベータシャフト(１)内に天井板(４)(４)…や壁板(８)(８)…を張り付けることで、エレベータシャフト(１)内の気密性を高めている。
【００１２】
(10)は、エレベータゲージ吊り下げ用のワイヤを引っ掛ける例えば金属製の揚重フックである。この揚重フック(10)は、図１乃至図３に示すように、エレベータシャフト(１)の天井部(２)付近に配された梁(７)に固定される略Ｌ字形の固定プレート(12)と、この固定プレート(12)から垂下した略長方形の垂直プレート(13)とを備えている。
【００１３】
固定プレート(12)の水平部(15)には、ホゾパイプ(16)が溶接等によって取り付けられており、このホゾパイプ(16)を梁(７)の上面に形成したホゾ穴(17)に挿入して、梁(11)の側面から差し込んだドリフトピン(18)を貫通させることで、固定プレート(12)が梁(７)に固定されるようになっている。
【００１４】
垂直プレート(13)は、その上下方向に沿った一端部を固定プレート(12)の垂直部(19)中央に溶接等によって取り付けることで、固定プレート(12)に一体的に連結されている。この垂直プレート(13)には、揚重用ワイヤを引っ掛けるためのワイヤ挿通用孔(20)が形成されている。また、このワイヤ挿通用孔(20)直下の垂直プレート(13)の下端には、金属製の補強用プレート(21)が溶接等によって固定されており、これによって揚重フック(10)に揚重用ワイヤを引っ掛けてエレベータケージを揚重したときの垂直プレート(13)下端の変形を防止することができる。
【００１５】
さらに、固定プレート(12)の垂直部(19)と垂直プレート(13)に跨って、上下方向に間隔をあけて複数のリブ(25)(25)…が取り付けられ、揚重フック(10)の強度を高めている。
【００１６】
そして、揚重フック(10)と干渉する天井板(４)には、図２に示すように、その一端部おいて開放するスリット状の貫通孔部(30)が形成されている。また、貫通孔部(30)が形成された天井板(４)と直交する壁板(８)には、その上端部において開放するスリット状の挿入孔部(31)が形成されている。これら貫通孔部(30)と挿入孔部(31)は、互いの開放部分を合わせるようにして連通されている。
【００１７】
揚重フック(10)の垂直プレート(13)は、天井板(４)の貫通孔部(30)を貫通するとともに、その上下方向に沿った一端部が壁板(８)の挿入孔部(31)に挿入されて、エレベータシャフト(１)内に臨んでいる。貫通孔部(30)及び挿入孔部(31)は、揚重フック(10)の垂直プレート(13)の形状に合わせて形成されており、垂直プレート(13)を貫通及び挿入させた状態では、ほとんど隙間が生じない状態となっているが、さらにこの貫通孔部(30)及び挿入孔部(31)に、シーリング材(40)を充填して隙間を確実に塞ぐことで、気密性を損なわないようにしている。また、天井板(４)と壁板(８)とが交わった角部にも、シーリング材(40)を充填している。
【００１８】
なお、天井板(４)、壁板(８)及び揚重フック(10)の施工に際しては、まず揚重フック(10)を梁(７)へ取り付けて、その揚重フック(10)の垂直プレート(13)を挿入孔部(31)の開放部分から差し入れるようにして、壁板(８)を上方へスライドさせながら取り付ける。その後、揚重フック(10)の垂直プレート(13)を貫通孔部(30)の開放部分から差し入れるようにして、天井板(４)を側方へスライドさせながら取り付けるようにしている。
【００１９】
この発明は、上記実施形態に限定されるものではなく、この発明の範囲内で上記実施形態に多くの修正及び変更を加え得ることは勿論である。
【００２０】
【発明の効果】
以上の説明から明らかなように、この発明によれば、揚重フックの垂直プレートを貫通させた天井板の貫通孔部、及び、揚重フックの垂直プレートを挿入させた壁板の挿入孔部を、シーリング材で閉塞するようにしているので、エレベータシャフト内の気密性を損なうことなく、揚重フックをエレベータシャフト内に臨ませることができる。
【００２１】
また、揚重フックの垂直プレートを、壁板の挿入孔部に挿入させることで、揚重フックの取付け強度を高めて、揚重作業を安定して行うことができる。
【００２２】
さらに、天井板の貫通孔部や壁板の挿入孔部を、天井板の一端部や壁板の上端部において開放するスリット状に形成しているので、くり抜き加工等を施さずに済み、それら貫通孔部や挿入孔部を簡単に加工することができる。しかも、揚重フックの垂直プレートを、このプレート形状に対応したスリット状の貫通孔部や挿通孔部へ差し入れることで、貫通孔部や挿通孔部に生じる隙間を小さくして、気密性の向上を図ることができる。
【図面の簡単な説明】
【図１】本発明の一実施形態に係る家庭用エレベータの揚重フック取付け構造を示す斜視図である。
【図２】同じくその分解斜視図である。
【図３】同じくその一部破断正面図である。
【図４】家庭用エレベータのエレベータシャフトを示す縦断面図である。
【符号の説明】
(１)  エレベータシャフト
(２)  天井部
(４)  天井板
(５)  内壁部
(７)  躯体(梁)
(８)  壁板
(10)  揚重フック
(13)  垂直プレート
(30)  貫通孔部
(31)  挿入孔部
(40)  シーリング材
【図１】
0004157297.tif 000002
【図２】
0004157297.tif 000003
【図３】
0004157297.tif 000004
【図４】
0004157297.tif 000005